(57)【要約】【課題】  画像表示手段を可動させることで視覚的な演出効果を高めつつ、様々な演出を行う。【解決手段】  センター役物９は、画像表示装置１４と、飾り枠１５と、可動羽根１７，１８とを備えている。飾り枠１５は、上方枠２１，下方枠２２と、ワープルート２３，２４と、特別入賞口２６と、普通入賞口２７とを備えている。画像表示装置１４は、始動入賞口への入賞を契機として通常時の位置から上方の退避位置へと移動する。画像表示装置１４の移動に連動して可動羽根１７，１８が回動してワープルート２３，２４の入口４３，４４が開放されるとともに、可動羽根１７，１８がパチンコ球７を入口４３，４４へと案内可能となる。ワープルート２３，２４に進入したパチンコ球７は、出口４５から排出され、高確率で特別入賞口２６に入賞する。【選択図】        図３
2006263264.tif 000002
【特許請求の範囲】
【請求項１】
始動入賞口が設けられた遊技盤と、画像の表示を行う画像表示装置と、前記遊技盤の遊技領域内に打ち出された遊技球が前記始動入賞口に入賞したことを契機としてハズレ又は当たりを抽選により決定する抽選決定手段とを備えた遊技機において、
通常位置、及びこの通常位置から変位した変位位置の間で前記画像表示装置を移動させる移動手段と、前記遊技盤に設けられ、遊技球が入賞すると遊技者に有利な遊技状態に移行する特定入賞口と、この特定入賞口へ通常よりも高確率で遊技球を案内するワープルートと、このワープルートに向かう通路を塞いで遊技球の進入を阻止する閉鎖位置、及び前記ワープルートを開放するとともに、前記ワープルートへ向けて遊技球を案内可能な開放位置の間で開閉自在に設けられた可動部材とを備えており、前記画像表示装置が前記通常位置にあるときには前記可動部材が前記閉鎖位置にあり、前記始動入賞口に遊技球が入賞したとき、前記画像表示装置が前記通常位置から前記変位位置へ移動するのに連動して前記可動部材が前記閉鎖位置から前記開放位置に移動することを特徴とする遊技機。
【請求項２】
前記抽選決定手段の抽選結果に応じて前記移動手段を動作させる移動制御手段を設けたことを特徴とする請求項１記載の遊技機。
【請求項３】
前記移動手段は、上下方向に沿って延びるように配置された無端ベルトと、前記画像表示手段を保持するとともに、前記無端ベルトと一体となって移動する移動保持部材とを備えたことを特徴とする請求項１または２記載の遊技機。
【発明の詳細な説明】
【技術分野】
【０００１】
本発明は、パチンコ店などの遊技場に設置して使用される遊技機に関するものである。
【背景技術】
【０００２】
近年、パチンコ機には、画像を表示する画像表示装置が組み込まれていることが一般的である（例えば、特許文献１）。パチンコ機に設けられた画像表示装置には、遊技に応じた様々な演出画像、例えば大当たりやハズレの告知や、キャラクターの動画などが表示され、この画像表示装置による演出画像がパチンコ機で遊技を行ううえでのもう１つの楽しみとなってきている。
【０００３】
一方、パチンコ機には、センター役物と称される構造物が遊技盤に設けられている場合もある。このセンター役物は、上述した画像表示装置と、この画像表示装置を囲む枠体、この枠体や遊技盤に取り付けられた可動物などを備えており、この可動物が遊技内容に応じて可動するように制御され、演出効果を高めるようになっている。
【特許文献１】特開２００３−１１７０８８号（第２頁）
【発明の開示】
【発明が解決しようとする課題】
【０００４】
近年では、様々な演出がパチンコ機で行われるようになってきているため、上述のセンター役物でも様々な動作を行って演出を盛り上げるようになっている。しかしながら、このセンター役物を構成する部品のうち、画像表示装置は演出画像を行うだけであり、この画像表示装置を可動させることは、これまであまり考えられておらず、画像表示装置を可動させることで視覚的な演出効果をさらに高め、これまでのセンター役物とは異なる演出を行うことが求められている。
【０００５】
本発明は、上記課題を解決するためになされたもので、画像表示手段を可動させることで視覚的な演出効果を高めつつ、様々な演出を行うことが可能な遊技機を提供することを目的とする。
【課題を解決するための手段】
【０００６】
上記目的を達成するために、本発明の遊技機は、始動入賞口が設けられた遊技盤と、画像の表示を行う画像表示装置と、前記遊技盤の遊技領域内に打ち出された遊技球が前記始動入賞口に入賞したことを契機としてハズレ又は当たりを抽選により決定する抽選決定手段とを備えた遊技機において、通常位置、及びこの通常位置から変位した変位位置の間で前記画像表示装置を移動させる移動手段と、前記遊技盤に設けられ、遊技球が入賞すると遊技者に有利な遊技状態に移行する特定入賞口と、この特定入賞口へ通常よりも高確率で遊技球を案内するワープルートと、このワープルートに向かう通路を塞いで遊技球の進入を阻止する閉鎖位置、及び前記ワープルートを開放するとともに、前記ワープルートへ向けて遊技球を案内可能な開放位置の間で開閉自在に設けられた可動部材とを備えており、前記画像表示装置が前記通常位置にあるときには前記可動部材が前記閉鎖位置にあり、前記始動入賞口に遊技球が入賞したとき、前記画像表示装置が前記通常位置から前記変位位置へ移動するのに連動して前記可動部材が前記閉鎖位置から前記開放位置に移動することを特徴とする。
【０００７】
なお、本発明における画像表示手段とは、画像の表示を行うことが可能な装置であり、例えば、液晶表示装置や、ブラウン管ディスプレイ、有機ＥＬディスプレイ、プラズマディスプレイなどの各種表示装置である。
【０００８】
本発明の遊技機は、前述した必須の構成要素からなるが、その構成要素が具体的に以下のような場合であっても成立する。
【０００９】
また、前記抽選決定手段の抽選結果に応じて前記移動手段を動作させる移動制御手段を設けたことが好ましい。さらにまた、前記移動手段は、上下方向に沿って延びるように配置された無端ベルトと、前記画像表示手段を保持するとともに、前記無端ベルトと一体となって移動する移動保持部材とを備えたことが好ましい。
【発明の効果】
【００１０】
本発明によれば、通常位置、及びこの通常位置から変位した変位位置の間で前記画像表示装置を移動させる移動手段と、前記遊技盤に設けられ、遊技球が入賞すると遊技者に有利な遊技状態に移行する特定入賞口と、この特定入賞口へ通常よりも高確率で遊技球を案内するワープルートと、このワープルートに向かう通路を塞いで遊技球の進入を阻止する閉鎖位置、及び前記ワープルートを開放するとともに、前記ワープルートへ向けて遊技球を案内可能な開放位置の間で開閉自在に設けられた可動部材とを備えており、前記画像表示装置が前記通常位置にあるときには前記可動部材が前記閉鎖位置にあり、前記始動入賞口に遊技球が入賞したとき、前記画像表示装置が前記通常位置から前記変位位置へ移動するのに連動して前記可動部材が前記閉鎖位置から前記開放位置に移動するので、画像表示装置が移動することで視覚的な演出効果を得ることができるとともに、様々な演出を行うことが可能となり、遊技者の興趣を増加させることができる。
【００１１】
さらに、前記抽選決定手段の抽選結果に応じて前記移動手段を動作させる移動制御手段を設けているので、より効果的な演出を行うことができる。また、移動手段は、上下方向に沿って延びるように配置された無端ベルトと、画像表示手段を保持するとともに、無端ベルトと一体となって移動する移動保持部材とを備えているので、画像表示装置を演出に応じて確実に移動させることが可能であり、より効果的に演出を行うことができる。
【発明を実施するための最良の形態】
【００１２】
図１に示すように、弾球遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及びパチンコ球（遊技球）７の打ち出し強さを調節する操作ハンドル８が設けられている。遊技盤４のパチンコ球７が打ち出される遊技領域４ａの略中央には、遊技中に様々な演出を行うセンター役物９が設けられている。センター役物９の下方には、始動入賞口１０、アウト口１３等が設けられている。なお、パチンコ機２の遊技領域４ａに設けられている複数の釘、風車などの構造物は公知であるので説明は省略する。
【００１３】
センター役物９は、図２及び図３に示すように、画像表示装置１４と、この画像表示装置１４を取り囲む飾り枠１５と、可動羽根（可動部材）１７，１８と、後述する移動機構（移動手段）１９とを備えている。なお、図２は、可動羽根１７，１８が閉鎖位置となっており、図３は可動羽根１７，１８が開放位置となっている状態を示す。画像表示装置１４は、後述するサブＣＰＵ６６に接続されている。この画像表示装置１４は、始動入賞口１０にパチンコ球７が入賞したことを契機として、図柄の可変表示が所定時間行われた後、図柄の停止表示が行われて当たり判定処理や演出処理が行われる。そして、図柄が停止表示されたときに入賞有効位置上に所定の図柄の組み合わせが得られると大当たりとなり、遊技上の利益を獲得するうえで遊技者にとって通常よりも有利となる遊技状態である当たりモードに所定期間移行される。
【００１４】
飾り枠１５は、図３に示すように、上方枠２１，下方枠２２と、ワープルート２３，２４と、特別入賞口（特定入賞口）２６と、普通入賞口２７とを備えている。上方枠２１及び下方枠２２は、上下に一定の間隔を置いて配置されている。
【００１５】
上方枠２１には、図２に示すように、ガイド面２１ａ，２１ｂが設けられている。画像表示装置１４は、ガイド面２１ａ，２１ｂに沿って上下にスライドし、通常位置（図２に示す位置）と、この通常位置から上方に変位した退避位置（図３に示す位置）との間で移動可能となっている。
【００１６】
図４は、画像表示装置１４及び移動機構（移動手段）１９の構成を示す斜視図である。移動機構１９は、無端ベルト３１、３２、ベルトガイド３３、３４、移動保持部材３５、駆動ギヤ３６、モータ３７、モータドライバ３８、メインＣＰＵ（移動制御手段）６１からなる。ベルトガイド３３、３４は上下方向に沿って配置されており、このベルトガイド３３，３４に案内されて無端ベルト３１，３２が上下方向に移動する。なお、無端ベルト３１，３２はほぼ同様の構成であり、以下では、無端ベルト３１について詳細に説明し、無端ベルト３２については説明を簡略化する。
【００１７】
無端ベルト３１は、その一端側が駆動ギヤ３６に掛けられている。駆動ギア３６の回転軸３６ａには、モータ３７が接続されている。モータ３７は、モータドライバ３８を介してメインＣＰＵ６１に接続されている。モータ３７としては、例えばパルスモータが用いられ、メインＣＰＵ６１によって、回転方向及び回転量が制御される。モータ３７の回転駆動が伝達された無端ベルト３１は、ベルトガイド３３に沿って周動する。さらに、無端ベルト３１の外周面には、その移動方向に沿って等間隔で配列された突起部３１ａが形成されている。この突起部３１ａは、後述する移動保持部材３５の突起部４１と嵌合する。なお、無端ベルト３２も、図示しないモータ、またはモータ３７と図示しないギア列などによって接続され、このモータがモータドライバを介してメインＣＰＵ６１に制御されることによってベルトガイド３４に沿って周動する構成となっている。また無端ベルト３２にも無端ベルト３１と同様、その外周面に突起部３２ａが形成されている。
【００１８】
移動保持部材３５は、その前面が画像表示装置１４の背面と固着されており、画像表示装置１４を保持する。この移動保持部材３５は、無端ベルト３１、３２の間に位置しており、その両側方部に突起部４１、４２が形成されている。この突起部４１，４２に無端ベルト３１，３２の突起部３１ａ，３２ａが係合する。これによって移動保持部材３５は無端ベルト３１，３２の間に挟み込まれ、無端ベルト３１，３２と一体になって移動する。
【００１９】
下方枠２２は、図３に示すように、Ｕ字形状に形成され、その下方内面側の中央部に特別入賞口２６が位置し、この特別入賞口２６の両側に普通入賞口２７が位置している。下方枠２２の両側端部上面２２ａ，２２ｂには、ワープルート２３，２４の入口４３，４４がそれぞれ位置している。このワープルート２３，２４は、入口４３，４４から下方枠２２の後方へと回り込んで合流し、特別入賞口２６の上方に配設された一箇所の出口４５へと向かうように形成されている。これによりワープルート２３，２４に進入したパチンコ球７は、出口４５から排出され、高確率で特別入賞口２６に入賞する。なお、上方枠２１，下方枠２２の間には、通路４７，４８（図６参照）が形成されており、この通路４７，４８からワープルートの入口４３，４４へ向かってパチンコ球７が進入可能となっている。
【００２０】
可動羽根（可動部材）１７，１８は、ワープルート２３，２４の入口４３，４４付近に設けられている。この可動羽根１７，１８は、上下枠２１，２２の間に形成された通路４７，４８を塞ぎ、パチンコ球７のワープルート２３、２４への進入を阻止する閉鎖位置と、通路４７，４８からパチンコ球を進入可能として入口４３，４４を開放し、且つその上方ガイド面１７ａ，１８ａによって、入口４３，４４へとパチンコ球７を案内可能な開放位置との間で開閉自在に設けられている。図５に示すように、可動羽根１７は、その回転軸１７ｂが飾り枠１５よって支持されており、この回転軸１７ａに付勢バネ５１が取り付けられている。付勢バネ５１は可動羽根１７を閉鎖位置から開放位置へ向かって付勢する。なお、可動羽根１８にも同様に付勢バネが取り付けられており、可動羽根１８を閉鎖位置から開放位置へ向かって付勢する。また、飾り枠１５には、位置規制ピン５２，５３が一体に設けられており、可動羽根１７，１８が開放位置となったときにこの位置規制ピン５２，５３と当接して回転が規制される。
【００２１】
可動羽根１７，１８は、画像表示装置１４の移動経路内に位置しており、画像表示装置１４が移動するのに連動して閉鎖位置及び開放位置の間で回動する。画像表示装置１４が、通常位置にあるときは、図２及び図６（Ａ）に示すように、可動羽根１７，１８は、その一端部１７ｃ，１８ｃが画像表示装置１４の側面１４ａ、１４ｂに当接した状態となっており、付勢バネの付勢に抗して閉鎖位置に停止している。また、この通常位置にあるとき、画像表示装置１４がワープルート２３，２４の入口４３，４４を塞ぐ位置にあり、ワープルート２３，２４には、パチンコ球７が完全に進入しないようになっている。
【００２２】
そして、画像表示装置１４が通常位置から退避位置に移動すると、図３及び図６（Ｂ）に示すように、可動部材１７，１８から画像表示装置１４が離れた状態となり、付勢バネの付勢によって、閉鎖位置から開放位置へと回動する。これによって、ワープルート２３，２４の入口４３，４４へのパチンコ球７の進入が可能となる。
【００２３】
図４に示すように、パチンコ機２の作動は基本的に主制御回路装置５５及び副制御回路装置５６によって管制される。
【００２４】
主制御回路装置５５は、メインＣＰＵ（ｃｅｎｔｒａｌ  ｐｒｏｃｅｓｓｉｎｇ  ｕｎｉｔ）６１及びメインＲＯＭ（ｒｅａｄ  ｏｎｌｙ  ｍｅｍｏｒｙ）６２及びメインＲＡＭ（ｒａｎｄｏｍ  ａｃｃｅｓｓ  ｍｅｍｏｒｙ）６３から構成されている。メインＣＰＵ（移動制御手段）（抽選決定手段）６１は、メインＲＯＭ６２に記憶されている遊技制御プログラムを読み込んでパチンコ機の遊技状態を制御する命令を生成すると共に、副制御回路装置５６に命令情報を送信して所定の遊技状態となるように実行させる。メインＲＯＭ６２には、遊技制御プログラムおよび乱数生成処理プログラムおよび乱数テーブルなどが所定の領域に格納されており、これらはメインＣＰＵ６１によって読み出され、演算処理されるように適宜用いられる。メインＲＡＭ６３は、ワーキングエリアとなっており、遊技において利用されるデータなどの一時的保管や書き換えなどに用いられる。本実施形態では、メインＣＰＵ６１は、上述した移動機構１９の駆動を制御する移動制御手段としても機能する。さらに、メインＣＰＵ６１には、始動入賞口１０、特別入賞口２６及び普通入賞口２７への入賞球をそれぞれ検知する始動入賞口入賞球検出センサ７１、特別入賞口入賞球検出センサ７２、及び普通入賞口入賞球検出センサ７３が接続されている。
【００２５】
本実施形態では、始動入賞口１０への入賞を契機としてＣＰＵ（抽選決定手段）６１が当否決定抽選を行ない、この当否決定抽選の結果決定された当選役に応じた回数で画像表示装置１４が通常位置から退避位置へ所定時間移動する。そして、画像表示装置１４に連動して可動羽根１７，１８が開放状態となり、ワープルート２３，２４へのパチンコ球７の進入と、特別入賞口２６及び普通入賞口２７へのパチンコ球７の入賞が可能となる。この可動羽根１７，１８が開放状態となったときに、特別入賞口２６へ入賞すると、可動羽根１７，１８の開放状態となる時間が長くなったり、開放状態となる回数が増加したりするいわゆる特別遊技状態となる。
【００２６】
副制御回路装置５６は、サブＣＰＵ６６及びサブＲＯＭ６７及びサブＲＡＭ６８から構成されている。サブＣＰＵ６６は、サブＲＯＭ６７に格納された副制御プログラムを適宜読み出し、主制御回路装置５５から命令情報として入力される制御信号に応じて、副制御プログラムに従って画像表示装置１４に制御信号を出力する。サブＲＡＭ６８はワーキングエリアとなっており、画像表示装置１４の制御において利用されるデータなどの一時的保管や書き換えなどに用いられる。
【００２７】
操作ハンドル８からパチンコ球の発射信号が入力されると、球発射装置６９は駆動を開始して、操作ハンドル８の回動量に応じた打ち出し強さで遊技球を遊技盤４面上に打ち出す動作制御を行う。メインＣＰＵ６１は、入賞球検知センサ１４からの信号が入力されると、メインＲＯＭ６２に記憶されている遊技制御プログラムに基づいて、球払出装置７０を駆動して所定個数の賞球を供給皿６上に払い出す。なお、賞球の個数は、遊技球が入った各入賞口１０，２６，２７の種類に応じて適宜設定して良い。また、メインＣＰＵ６１は、遊技状態を監視しており、エラーが生じた場合に球発射装置６９，球払出装置７０の作動を停止させる。
【００２８】
上記構成の作用について、以下に説明する。通常時、画像表示装置１４は、図２及び図６（Ａ）に示す通常位置にある。そして、操作ハンドル８を回動して、球発射装置１７により打ち出されたパチンコ球６０が始動入賞口１０に入賞すると、始動入賞口１０にパチンコ球７が入賞すると、ＣＰＵ６１が１つの乱数値を抽選する。抽選された乱数値は当たりテーブルと照合され、当たりモードに移行させるか否かが抽選判定の結果として決定され、該決定に係る情報（例えばコマンド）が生成される。ＣＰＵ６１は、このコマンドに応じて画像表示装置１４を作動し、画像表示装置１４で図柄の可変表示が開始される。抽選判定で当たりが決定された場合には、ＣＰＵ６１は、画像表示装置１４で複数の図柄を一定の組み合わせで停止させるとともに、メインＲＯＭ６２に記憶されている遊技制御プログラムを読み込み、モータドライバ３８に命令情報を送信してモータ３７を駆動させ、駆動ギヤ３６、無端ベルト３１，３２，移動保持部材３５を介して画像表示装置１４を通常位置から退避位置（図３及び図６（Ｂ））へ移動する。
【００２９】
そして、画像表示装置１４が、退避位置に移動すると、ワープルート２３，２４の入口４３，４４が現れるとともに、可動羽根１７，１８が閉鎖位置から開放位置へと回動し、入口４３，４４へパチンコ球７が進入可能となり、特別入賞口２６及び普通入賞口２７へのパチンコ球７の入賞が可能となる。ワープルート２３，２４へ進入したパチンコ球７は、出口４５から排出され、高確率で特別入賞口（特定入賞口）２６に入賞する。特別入賞口（特定入賞口）２６へパチンコ球７が入賞すると、特別遊技状態となり、可動羽根１７，１８の開放状態となる時間が長くなったり、開放状態となる回数が増加したりする。これによって、遊技者はさらに多くのパチンコ球７を獲得可能な状態となる。
【００３０】
このように、画像表示装置１４が退避位置へ移動すると、可動羽根１７，１８が開放位置となってワープルート２３，２４の入口４３，４４が開放され、特別入賞口２６及び普通入賞口２７へパチンコ球７を入賞させることにより、多くのパチンコ球７を獲得することができる。しかも、高確率で特別入賞口２６に入賞できるようになるので、遊技性が高まり、遊技者の関心を引き付けることができる。この可動羽根１７，１８の開放状態は、例えば、２０秒開放されるか、または特別入賞口２６にパチンコ球７が１０個入賞されるのを１ラウンドとして、最大１５ラウンドが継続して実行される。
【００３１】
さらに、当たりモードとなったとき、画像表示装置１４が上下に移動することに連動してワープルート２３，２４の入口４３，４４が開放状態となるので、遊技者に対して視覚的な演出効果を高めつつ、画像表示装置１４に表示される演出画像とともに様々な演出を行うことが可能となる。
【００３２】
なお、上記実施形態においては、画像表示装置１４が退避位置に移動して可動羽根１７，１８が開放位置に移動する条件としては、ＣＰＵ６１が行う当否決定抽選の当選役に応じて行うようにしているが、本発明はこれに限らず、始動入賞口１０への入賞を契機として画像表示装置１４の移動を行うようにしてもよいし、あるいは、始動入賞口１０への入賞球が所定の個数を超えたときを契機としてもよい。また、始動入賞口を複数設け、これらの始動入賞口ごとに個別の開放回数又は開放時間を設定し、これらの開放回数又は開放時間に応じて画像表示装置１４の移動を行い、可動羽根１７，１８を開放位置に移動させるようにしてもよい。
【００３３】
また、上記実施形態においては、画像表示手段１４を移動させる移動手段として、無端ベルト３１，３２と、この無端ベルト３１，３２と一体となって移動し、画像表示装置１４を保持する移動保持部材３５とから構成しているが、本発明はこれに限らず、油圧や空気圧のシリンダや、ソレノイドなどの駆動源を用いて画像表示装置を移動させる構成としてもよい。
【図面の簡単な説明】
【００３４】
【図１】本発明を適用したパチンコ機の外観斜視図である。
【図２】センター役物の通常時の状態を示す斜視図である。
【図３】センター役物の可動羽根が開放位置となった状態を示す斜視図である。
【図４】画像表示装置及び移動機構の構成を示す斜視図である。
【図５】可動羽根周辺の構成を示す背面側斜視図である。
【図６】可動羽根が閉鎖位置から開放位置に移動するときの状態を示す説明図である。
【図７】パチンコ機の電気的構成を示す機能ブロック図である。
【符号の説明】
【００３５】
２  パチンコ機（遊技機）
４  遊技盤
４ａ  遊技領域
１０  始動入賞口
１４  画像表示装置
１７，１８  可動羽根（可動部材）
１９  移動機構（移動手段）
２６  特別入賞口（特定入賞口）
３１，３２  無端ベルト
３５  移動保持部材
６１  メインＣＰＵ（移動制御手段）（抽選決定手段）
【図１】
2006263264.tif 000003
【図２】
2006263264.tif 000004
【図３】
2006263264.tif 000005
【図４】
2006263264.tif 000006
【図５】
2006263264.tif 000007
【図６】
2006263264.tif 000008
【図７】
2006263264.tif 000009